(57)【要約】【課題】ページメモリまたはラインバッファに容量の制限がある場合でも全画像を読み取る。【解決手段】画像読み取り装置１０とホストコンピュータ２０が接続された画像読み取りシステムにおいて、画像形成装置１０は、物理的な読み取り範囲の制限の他に、ページメモリ４またはラインバッファ２の制約により画像読み取り範囲が制限を受け、ホストコンピュータ２０は、画像形成装置１０に対して読み取り範囲を読み取り可能な幅に分割して１ページに対して複数回読み取りを実行させる機能を有する。【選択図】        図１
2004274280.tif 000002
【特許請求の範囲】
【請求項１】
画像読み取り装置とホストコンピュータが接続された画像読み取りシステムにおいて、画像形成装置は、物理的な読み取り範囲の制限の他に、ページメモリまたはラインバッファの制約により画像読み取り範囲が制限を受け、ホストコンピュータは、前記画像形成装置に対して読み取り範囲を読み取り可能な幅に分割して１ページに対して複数回読み取りを実行させる機能を有することを特徴とする画像読み取りシステム。
【請求項２】
請求項１記載の画像読み取りシステムにおいて、前記画像読み取り装置は、１ページのデータを蓄積するに十分な容量を持つページメモリと、物理的読み取り範囲に足りない容量のラインバッファを有し、ラインバッファを超えない走査幅に分割して１ページに対して複数回読み取りを行いページメモリ上に合成する機能を有することを特徴とする画像読み取りシステム。
【請求項３】
請求項１記載の画像読み取りシステムにおいて、前記画像読み取り装置は、物理的読み取り幅を読み取るのに足りない容量のラインバッファを有し、副走査方向の読み取り最大画素数が制限されており、ホストコンピュータは、前記画像形成装置に対して１ページを読み取れるサイズに格子状に分割して読み取らせ、自身でページを合成する機能を有することを特徴とする画像読み取りシステム。
【請求項４】
請求項１記載の画像読み取りシステムにおいて、前記画像読み取り装置は、１ページのデータを蓄積するに十分な容量を持つページメモリを有するとき自身でページを合成する機能を有することを特徴とする画像読み取りシステム。
【請求項５】
請求項１記載の画像読み取りシステムにおいて、前記画像読み取り装置は、物理的読み取り範囲に対してラインバッファを十分に有し、ページメモリが十分でなく、かつ簡潔動作が可能なフラツトベッドを有し、ホストコンピュータは、画像読み取り装置に対して読み取り範囲を読み取るために横分割して１ページに対して複数回読み取りを行わせる機能を有することを特徴とする画像読み取りシステム。
【請求項６】
請求項１記載の画像形成システムに適用される画像読み取り装置。
【発明の詳細な説明】
【０００１】
【発明の属する技術分野】
本発明は、画像読み取りシステム及び画像読み取り装置に関する。
【０００２】
【従来の技術】
ホストコンピュータと画像読み取り装置が接続され、ホストコンピュータ上のソフトウェアの要求により、画像読み取り装置で画像読み取りを行う画像読み取りシステムが種種提案されている。
【０００３】
【発明が解決しようとする課題】
上記の画像読み取りシステムにおいて、ページメモリまたはラインバッファに容量の制限がある場合、通常はその範囲内の画像しか取得できない。
本発明は、ページメモリまたはラインバッファに容量の制限がある場合でも全画像を読み取ることができる画像読み取りシステム及び画像読み取り装置を提供することを目的とする。
【０００４】
【課題を解決するための手段】
上記目的を達成するために、請求項１記載の発明は、画像読み取り装置とホストコンピュータが接続された画像読み取りシステムにおいて、画像形成装置は、物理的な読み取り範囲の制限の他に、ページメモリまたはラインバッファの制約により画像読み取り範囲が制限を受け、ホストコンピュータは、画像形成装置に対して読み取り範囲を読み取り可能な幅に分割して１ページに対して複数回読み取りを実行させる機能を有する画像読み取りシステムを最も主要な特徴とする。
請求項２記載の発明は、請求項１記載の画像読み取りシステムにおいて、画像読み取り装置は、１ページのデータを蓄積するに十分な容量を持つページメモリと、物理的読み取り範囲に足りない容量のラインバッファを有し、ラインバッファを超えない走査幅に分割して１ページに対して複数回読み取りを行いページメモリ上に合成する機能を有する画像読み取りシステムを主要な特徴とする。
請求項３記載の発明は、請求項１記載の画像読み取りシステムにおいて、画像読み取り装置は、物理的読み取り幅を読み取るのに足りない容量のラインバッファを有し、副走査方向の読み取り最大画素数が制限されており、ホストコンピュータは、画像形成装置に対して１ページを読み取れるサイズに格子状に分割して読み取らせ、自身でページを合成する機能を有する画像読み取りシステムを主要な特徴とする。
請求項４記載の発明は、請求項１記載の画像読み取りシステムにおいて、画像読み取り装置は、１ページのデータを蓄積するに十分な容量を持つページメモリを有するとき自身でページを合成する機能を有する画像読み取りシステムを主要な特徴とする。
請求項５記載の発明は、請求項１記載の画像読み取りシステムにおいて、画像読み取り装置は、物理的読み取り範囲に対してラインバッファを十分に有し、ページメモリが十分でなく、かつ簡潔動作が可能なフラツトベッドを有し、ホストコンピュータは、画像読み取り装置に対して読み取り範囲を読み取るために横分割して１ページに対して複数回読み取りを行わせる機能を有する画像読み取りシステムを主要な特徴とする。
請求項６記載の発明は、請求項１記載の画像形成システムに適用される画像読み取り装置を最も主要な特徴とする。
【０００５】
【発明の実施の形態】
以下、本発明の実施の形態を図面に従って説明する。
図１は本発明の実施の形態に係る画像読み取りシステムのブロツク図である。本画像読み取りシステムにおいて、画像読み取り装置１０は、撮像素子１、ラインバッファ２、ページコントローラ３、ページメモリ４、外部インターフェース５を備えており、外部インターフェース５を通じてホストコンピュータ２０と接続されている。
ページ合成処理をホストコンピュータ２０側で行う場合、撮像素子１により画像を入力し、ラインバッファ２でライン単位に処理する。そしてページメモリ４に蓄積し、外部インターフェース５からホストコンピュータ２０に画像のページデータを送信する。
ページ合成処理を画像読み取り装置１０側で行う場合、撮像素子１により画像を入力し、ラインバッファ２でライン単位に処理する。そしてページコントローラ３でページメモリ４に画像を合成して蓄積し、外部インターフェース５からホストコンピュータ２０に画像のページデータを送信する。
【０００６】
第１の実施例を説明する。
基本解像度６００ｄｐｉで物理的な最大読み取り幅が読み取れるようにラインバッファ２、及びページメモリ４が搭載されている場合（図２、図３、図５）で、最大解像度１２００ｄｐｉがである場合、１２００ｄｐｉでは物理的読み取り範囲の一部（図２、図３、図５）しか読み取ることができないため、図６のように縦に分割して画像読み取り装置１０から画像読み取りを行い、ホストコンピュータ２０でページを合成する。
こうして、ページメモリまたはラインバッファに制約があってもその制約を回避して全画像を読み取ることができる。
第２の実施例を説明する。
基本解像度６００ｄｐｉで物理的な最大読み取り幅が読み取れるようにラインバッファ２が搭載され、１２００ｄｐｉで物理的な最大読み取り範囲が格納できるようにページメモリ４が搭載されている場合、第１の実施例の動作を画像読み取り装置１０側で行い画像読み取り装置内でページを合成する。
こうして、ホストコンピュータ側で画像読み取りを透過的に行うことができる。
第３の実施例を説明する。
基本解像度６００ｄｐｉで物理的な最大読み取り範囲が読み取れるように、ラインバッファ２及び副走査画素数が定義されている場合（図４）、図７のように格子状に分割して画像読み取り装置１０にて画像読み取りを行い、ホストコンピュータ２０でページを合成する。
こうして、副走査方向の読み取り画素が制限されている場合にその制約が回避できる。
第４の実施例を説明する。
第３の実施例において、１２００ｄｐｉで物理的な最大読み取り範囲が格納できるようにページメモリ４が搭載されている場合、第３の実施例の動作を画像読み取り装置１０側で行い、そしてこの画像読み取り装置１０内でページを合成する。
こうして、ホストコンピュータ側で画像読み取りを透過的に行うことができる。
第５の実施例を説明する。１２００ｄｐｉで物理的な最大読み取り幅が格納できるようにラインバッファ２が搭載されている場合、図８のようにバンド分割して画像読み取り装置１０から画像読み取りを行い、ホストコンピュータ２０でページを合成する。
こうして、読み取り速度を向上させることができる。
【０００７】
【発明の効果】
請求項１記載の発明によれば、ページメモリまたはラインバッファに制約があってもその制約を回避して全画像を読み取ることができる。
請求項２記載の発明によれば、ホストコンピュータ側で画像読み取りを透過的に行うことができる。
請求項３記載の発明によれば、副走査方向の読み取り画素が制限されている場合にその制約が回避できる。
請求項４記載の発明によれば、ホストコンピュータ側で画像読み取りを透過的に行うことができる。
請求項５記載の発明によれば、読み取り速度を向上させることができる。
【図面の簡単な説明】
【図１】本発明の実施の形態に係る画像読み取りシステムのブロツク図である。
【図２】ページメモリが制約される場合の画像読み取りの様子を示す図である。
【図３】ラインバッファが制約される場合の画像読み取りの様子を示す図である。
【図４】ラインバッファと副走査最大画素が制約される場合の画像読み取りの様子を示す図である。
【図５】ラインバッファとページメモリが制約される場合の画像読み取りの様子を示す図である。
【図６】分割読み取りの様子を示す図である。
【図７】格子状分割読み取りの様子を示す図である。
【図８】バンド分割読み取りの様子を示す図である。
【符号の説明】
１  撮像素子
２  ラインバッファ
３  ページコントローラ
４  ページメモリ
５  外部インターフェース
１０  加増読み取り装置
２０  ホストコンピュータ
【図１】
2004274280.tif 000003
【図２】
2004274280.tif 000004
【図３】
2004274280.tif 000005
【図４】
2004274280.tif 000006
【図５】
2004274280.tif 000007
【図６】
2004274280.tif 000008
【図７】
2004274280.tif 000009
【図８】
2004274280.tif 000010